【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
第1のワイヤレス通信デバイスにおいて、第2のワイヤレス通信デバイスから第1のトーンを含むディスカバリブロードキャストを受信するステップと、
前記第1のワイヤレス通信デバイスから前記第2のワイヤレス通信デバイスへ、関連付け要求のために使用可能な前記第1のトーンを使用して、データフレームの予約されたタイムスロット中に第1の関連付け要求を送信するステップと、
前記第1のワイヤレス通信デバイスにおいて、前記予約されたタイムスロット中の前記第2のワイヤレス通信デバイスからの前記第1の関連付け要求に対する第1の応答に基づいて、第2のトーンを選択するステップと、
前記第1のワイヤレス通信デバイスから前記第2のワイヤレス通信デバイスへ、前記第2のトーンを使用して、前記データフレームの前記予約されたタイムスロット中に第2の関連付け要求を送信するステップと
を含む方法。
【請求項２】
前記第2のワイヤレス通信デバイスから、前記データフレームの前記予約されたタイムスロット中に前記第2の関連付け要求に対する第2の応答を受信するステップと、
前記第1のワイヤレス通信デバイスから前記第2のワイヤレス通信デバイスへ、データ送信のための接続識別子としての選択のために使用可能な1つまたは複数のトーンを含む関連付けデータを送信するステップと
をさらに含む、請求項1に記載の方法。
【請求項３】
前記第2のワイヤレス通信デバイスから、関連付けデータ内で識別される1つまたは複数のトーンの中から選択された接続識別子を確認する肯定応答を受信するステップと、
前記第1のワイヤレス通信デバイスから前記第2のワイヤレス通信デバイスへ、前記選択された接続識別子を使用してデータパケットを送信するステップと
をさらに含む、請求項1に記載の方法。
【請求項４】
前記第2のワイヤレス通信デバイスから、データ送信のための接続識別子としての前記第1のワイヤレス通信デバイスにおける選択のために使用可能な1つまたは複数のトーンとは異なる、前記第2のワイヤレス通信デバイスに使用可能なトーンのセットを受信するステップと、
前記第1のワイヤレス通信デバイスによって、トーンの前記セットの中からの少なくとも1つのトーンにオーバーラップする少なくとも1つのトーンを含む新しい関連付け要求を開始するステップと
をさらに含む、請求項1に記載の方法。
【請求項５】
前記第1のワイヤレス通信デバイスによって、前記第1のワイヤレス通信デバイスの近傍内で送信される1つまたは複数のディスカバリブロードキャストを監視するステップと、
前記第1のワイヤレス通信デバイスによって、データ送信のための接続識別子としての選択のために使用可能である関連付けデータ内で識別される1つまたは複数のトーンから、前記1つまたは複数の監視されるディスカバリブロードキャストからの占有されるトーンを除外するステップと
をさらに含む、請求項1に記載の方法。
【請求項６】
前記第1のトーンは、前記予約されたタイムスロット中に使用中ではない前記データフレームのデータ転送部分中に使用される接続識別子を含み、前記データ転送部分は、前記データフレームの前記予約されたタイムスロットの前に発生し、
前記第2のトーンは、複数の使用可能なトークンの中からランダムに選択される
請求項1に記載の方法。
【請求項７】
第1のワイヤレス通信デバイスによって、第1のトーンを含む、第1の関連付け要求のために使用され得る1つまたは複数のトーンをディスカバリブロードキャスト内に含めるステップと、
前記第1のワイヤレス通信デバイスによって、前記1つまたは複数のトーンを含む前記ディスカバリブロードキャストをブロードキャストするステップと、
前記第1のワイヤレス通信デバイスにおいて、第2のワイヤレス通信デバイスから、関連付け要求のために使用可能な前記第1のトーン上でデータフレームの予約されたタイムスロット中に前記第1の関連付け要求を受信するステップと、
前記第1のワイヤレス通信デバイスから前記第2のワイヤレス通信デバイスへ、前記データフレームの前記予約されたタイムスロット中に前記第1の関連付け要求に対する第1の応答を送信するステップと、
前記第1のワイヤレス通信デバイスにおいて、前記第2のワイヤレス通信デバイスから、第2のトーンを使用して前記データフレームの前記予約されたタイムスロット中に第2の関連付け要求を受信するステップと
を含む方法。
【請求項８】
前記第1のワイヤレス通信デバイスから前記第2のワイヤレス通信デバイスへ、前記データフレームの前記予約されたタイムスロット中に前記第2の関連付け要求に対する第2の応答を送信するステップと、
前記第1のワイヤレス通信デバイスにおいて、前記第2のワイヤレス通信デバイスから、前記第2のワイヤレス通信デバイスとのデータ送信のための接続識別子としての選択のための1つまたは複数の使用可能なトーンを含む関連付けデータを受信するステップと
をさらに含む、請求項7に記載の方法。
【請求項９】
前記第1のワイヤレス通信デバイスによって、前記第1のワイヤレス通信デバイスの近傍内で送信される1つまたは複数のブロードキャストを監視するステップと、
前記第1のワイヤレス通信デバイスによって、接続識別子としての選択のために識別された1つまたは複数の使用可能なトーンを、前記監視されたブロードキャストのうちの1つまたは複数内で使用されるすべてのトーンに対して比較するステップと
をさらに含む、請求項8に記載の方法。
【請求項１０】
前記第1のワイヤレス通信デバイスによって、トーンが前記1つまたは複数の監視されたブロードキャスト内で使用される前記トーンのいずれとも一致しないことに応答して、前記1つまたは複数の使用可能なトーンの中から選択された接続識別子として前記トーンを受け入れるステップと、
前記第1のワイヤレス通信デバイスから前記第2のワイヤレス通信デバイスへ、前記選択された接続識別子を確認する肯定応答を送信するステップと、
前記第1のワイヤレス通信デバイスにおいて、前記第2のワイヤレス通信デバイスから、前記選択された接続識別子を使用してデータパケットを受信するステップと
をさらに含む、請求項9に記載の方法。
【請求項１１】
前記第1のワイヤレス通信デバイスによって、前記関連付けデータ内で識別される前記1つまたは複数の使用可能なトークンの中からの前記トーンのすべてを、前記トーンが前記1つまたは複数の監視されるブロードキャスト内で使用される前記トーンのいずれかと一致することに応答して、否定するステップと、
前記比較の結果に基づいて、前記第1のワイヤレス通信デバイスに使用可能なトーンのセットを生成するステップであって、トーンの前記セットは、前記1つまたは複数の使用可能なトーンとは異なる、生成するステップと、
前記第1のワイヤレス通信デバイスから前記第2のワイヤレス通信デバイスへ、トーンの前記生成されたセットを送信するステップと、
前記第1のワイヤレス通信デバイスにおいて、前記第2のワイヤレス通信デバイスから、トーンの前記セットの中からの少なくとも1つのトーンにオーバーラップする少なくとも1つのトーンを含む関連付け要求を受信するステップと
をさらに含む、請求項9に記載の方法。
【請求項１２】
前記第1のトーンは、前記予約されたタイムスロット中に使用中ではない、前記データフレームのデータ転送部分中に前記第1のワイヤレス通信デバイスとともに使用される接続識別子を含み、前記データ転送部分は、前記データフレームの前記予約されたタイムスロットの前に発生し、
前記第2のトーンは、複数のトーンの中からランダムに選択される
請求項7に記載の方法。
【請求項１３】
前記第1の関連付け要求を受信する前記ステップは、複数の第2のワイヤレス通信デバイスから複数の第1の関連付け要求を受信するステップを含み、
前記第1の応答を送信する前記ステップは、前記複数の第2のワイヤレス通信デバイスに複数の第1の応答を送信するステップを含み、
前記第2のトーンを使用して前記第2の関連付け要求を受信する前記ステップは、複数のトーンの中からランダムに選択されるトーンをそれぞれ使用する、複数の第2の関連付け要求を受信するステップを含み、前記方法は、
前記第1のワイヤレス通信デバイスによって、前記複数の第2のワイヤレス通信デバイスの中からの前記第2のワイヤレス通信デバイスによって使用される前記第2のトーンを選択するステップと、
前記第1のワイヤレス通信デバイスから前記選択された第2のワイヤレス通信デバイスへ、前記データフレームの前記予約されたタイムスロット中に前記第2の関連付け要求に対する第2の応答を送信するステップと
をさらに含む、請求項7に記載の方法。
【請求項１４】
ワイヤレス通信デバイスから第1のトーンを含むディスカバリブロードキャストを受信するように、かつ
前記ワイヤレス通信デバイスへ、関連付け要求のために使用可能な前記第1のトーンを使用して、データフレームの予約されたタイムスロット中に第1の関連付け要求を送信するように構成されたトランシーバと、
前記データフレームの前記予約されたタイムスロット中の前記ワイヤレス通信デバイスからの前記第1の関連付け要求に対する第1の応答に基づいて、第2のトーンを選択するように構成されたプロセッサと
を含み、前記トランシーバは、前記ワイヤレス通信デバイスへ、前記第2のトーンを使用して、前記データフレームの前記予約されたタイムスロット中に第2の関連付け要求を送信するようにさらに構成される
装置。
【請求項１５】
前記トランシーバは、
前記ワイヤレス通信デバイスから、前記データフレームの前記予約されたタイムスロット中に前記第2の関連付け要求に対する第2の応答を受信し、
前記ワイヤレス通信デバイスへ、データ送信のための接続識別子としての選択のために使用可能な1つまたは複数のトーンを含む関連付けデータを送信する
ようにさらに構成される、請求項14に記載の装置。
【請求項１６】
前記トランシーバは、
前記ワイヤレス通信デバイスから、関連付けデータ内で識別される1つまたは複数のトーンの中から選択された接続識別子を確認する肯定応答を受信し、
前記ワイヤレス通信デバイスへ、前記選択された接続識別子を使用してデータパケットを送信する
ようにさらに構成される、請求項14に記載の装置。
【請求項１７】
前記トランシーバは、前記ワイヤレス通信デバイスから、データ送信のための接続識別子としての前記プロセッサによる選択のために使用可能な1つまたは複数のトーンとは異なる、前記ワイヤレス通信デバイスに使用可能なトーンのセットを受信するようにさらに構成され、
前記プロセッサは、トーンの前記セットの中からの少なくとも1つのトーンにオーバーラップする少なくとも1つのトーンを含む新しい関連付け要求を開始するようにさらに構成される
請求項14に記載の装置。
【請求項１８】
前記トランシーバは、前記装置の近傍内で送信される1つまたは複数のディスカバリブロードキャストを監視するようにさらに構成され、
前記プロセッサは、データ送信のための接続識別子としての選択のために使用可能である関連付けデータ内で識別される1つまたは複数のトーンから、前記1つまたは複数の監視されるディスカバリブロードキャストからの占有されるトーンを除外するようにさらに構成される
請求項14に記載の装置。
【請求項１９】
前記第1のトーンは、前記予約されたタイムスロット中に使用中ではない前記データフレームのデータ転送部分中に使用される接続識別子を含み、前記データ転送部分は、前記データフレームの前記予約されたタイムスロットの前に発生し、
前記第1の応答は、複数の使用可能なトーンを含み、
前記第2のトーンは、前記複数の使用可能なトーンの中からランダムに選択される
請求項14に記載の装置。
【請求項２０】
前記装置は、すべてのインターネット(IoE)デバイスを含み、
前記ワイヤレス通信デバイスは、中継デバイスを含む
請求項14に記載の装置。
【請求項２１】
第1のトーンを含む、関連付け要求のために使用され得る1つまたは複数のトーンをディスカバリブロードキャスト内に含めるように構成されたプロセッサと、
前記1つまたは複数のトーンを含む前記ディスカバリブロードキャストをブロードキャストするように、かつ
ワイヤレス通信デバイスから、前記関連付け要求のために使用可能な前記第1のトーン上でデータフレームの予約されたタイムスロット中に第1の関連付け要求を受信するように構成されたトランシーバと、
を含み、
前記プロセッサは、前記データフレームの前記予約されたタイムスロット中に前記第1の関連付け要求に対する第1の応答を生成するようにさらに構成され、
前記トランシーバは、前記ワイヤレス通信デバイスへ、前記第1の応答を送信し、前記ワイヤレス通信デバイスから、第2のトーンを使用して前記データフレームの前記予約されたタイムスロット中に第2の関連付け要求を受信するようにさらに構成される
装置。
【請求項２２】
前記トランシーバは、
前記ワイヤレス通信デバイスへ、前記データフレームの前記予約されたタイムスロット中に前記第2の関連付け要求に対する第2の応答を送信し、
前記ワイヤレス通信デバイスから、前記ワイヤレス通信デバイスとのデータ送信のための接続識別子としての選択のための1つまたは複数の使用可能なトーンを含む関連付けデータを受信する
ようにさらに構成される、請求項21に記載の装置。
【請求項２３】
前記トランシーバは、前記装置の近傍内で送信される1つまたは複数のブロードキャストを監視するようにさらに構成され、
前記プロセッサは、接続識別子としての選択のために識別された1つまたは複数の使用可能なトーンを、前記監視されたブロードキャストのうちの1つまたは複数内で使用されるすべてのトーンに対して比較するようにさらに構成される
請求項22に記載の装置。
【請求項２４】
前記プロセッサは、トーンが前記1つまたは複数の監視されたブロードキャスト内で使用される前記トーンのいずれとも一致しないことに応答して、前記1つまたは複数の使用可能なトーンの中から選択された接続識別子として前記トーンを受け入れるようにさらに構成され、
前記トランシーバは、
前記ワイヤレス通信デバイスへ、前記選択された接続識別子を確認する肯定応答を送信し、
前記ワイヤレス通信デバイスから、前記選択された接続識別子を使用してデータパケットを受信する
ようにさらに構成される、請求項23に記載の装置。
【請求項２５】
前記プロセッサは、
前記関連付けデータ内で識別される前記1つまたは複数の使用可能なトーンの中からの前記トーンのすべてを、前記トーンが前記1つまたは複数の監視されるブロードキャスト内で使用される前記トーンのいずれとも一致しないことに応答して、否定し、
前記比較の結果に基づいて、前記装置に使用可能なトーンのセットを生成し、トーンの前記セットは、前記1つまたは複数の使用可能なトーンとは異なる
ようにさらに構成され、前記トランシーバは、
前記ワイヤレス通信デバイスへ、トーンの前記生成されたセットを送信し、
前記ワイヤレス通信デバイスから、トーンの前記セットの中からの少なくとも1つのトーンにオーバーラップする少なくとも1つのトーンを含む関連付け要求を受信する
ようにさらに構成される、請求項23に記載の装置。
【請求項２６】
前記第1のトーンは、前記予約されたタイムスロット中に使用中ではない、前記データフレームのデータ転送部分中に前記装置とともに使用される接続識別子を含み、前記データ転送部分は、前記データフレームの前記予約されたタイムスロットの前に発生し、
前記第2のトーンは、複数のトーンの中からランダムに選択され、
前記装置は、中継デバイスを含み、前記ワイヤレス通信デバイスは、すべてのインターネット(IoE)デバイスを含む
請求項21に記載の装置。
【請求項２７】
前記第1の関連付け要求の前記受信は、複数のワイヤレス通信デバイスから複数の第1の関連付け要求を受信することを含み、
前記第1の応答の前記送信は、前記複数のワイヤレス通信デバイスに複数の第1の応答を送信することを含み、
前記第2のトーンを使用する前記第2の関連付け要求の前記受信は、複数のトーンの中からランダムに選択されるトーンをそれぞれ使用する、複数の第2の関連付け要求を受信することを含み、
前記プロセッサは、前記複数のワイヤレス通信デバイスの中からの前記ワイヤレス通信デバイスによって使用される前記第2のトーンを選択するように構成され、
前記トランシーバは、前記選択されたワイヤレス通信デバイスへ、前記データフレームの前記予約されたタイムスロット中に前記第2の関連付け要求に対する第2の応答を送信するようにさらに構成される
請求項21に記載の装置。